(57)【要約】【課題】広告媒体に掲載する諸情報を自由に関連付けることができるデータベース構造をもった商品情報管理システムを提供する。【解決手段】商品情報管理システムは、Ｗｅｂサーバ１、アプリケーションサーバ２、データベースサーバ３、およびクライアント７ａ，ｂ，ｃ…から構成され、Ｗｅｂサーバ１にはアプリケーションサーバ２とデータベースサーバ３とシステム管理者用のクライアント７ｅが接続されており、さらにインターネット等のネットワーク８を介して、クライアント７が複数接続される。データベースサーバ３は、アプリケーションサーバ２、またはＷｅｂサーバ１からの要求に従って、各種データテーブルを検索し、情報の照合、または抽出を行う機能を有するデータベースエンジンを備え、商品情報データベース４、画像データベース５、基本データデータベース６を備える。【選択図】      図１
2004171208.tif 000002
【特許請求の範囲】
【請求項１】
広告媒体のＤＴＰ情報を編集可能なクライアントと、ＤＴＰ情報を作成するための各種情報を保存、管理し、前記クライアントからの要求に応じて各種情報を取得し提供するサーバと、前記クライアントと前記サーバを接続するネットワークとから構成される商品情報管理システムであって、
前記サーバは、
個々の商品の商品情報が記録される基幹商品データベースと、
関連性のある複数商品からなる商品群や、同一種の複数商品からなる商品群をグループとして取り扱う場合の、当該グループの識別情報が記録される商品グループデータベースと、
前記商品グループデータベースで管理される前記グループと、前記基幹商品データベースで管理される個々の商品の情報との関連が記録される商品関連データベースと、
個々の商品に対応する１以上の商品画像の画像ファイル名および保存場所が記録される商品画像データベースと、
前記クライアントからの要求に応じて、特定商品の商品情報を前記基幹商品データベースから取得し、さらに前記商品グループデータベースと前記商品関連データベースを参照し、当該特定商品に関連のある商品を取得する商品情報取得手段と、
前記商品画像データベースに記録されている保存場所を元に、当該特定商品に対応する前記画像ファイルを取得する画像ファイル取得手段と、
を備えることを特徴とする商品情報管理システム。
【請求項２】
前記商品情報管理システムは、前記広告媒体に関する情報と、前記広告媒体に掲載される前記商品情報が記録される媒体情報データベースを備え、
前記商品情報取得手段は、前記クライアントからの要求に応じて、前記広告媒体に掲載される当該特定商品の商品情報を媒体情報データベースから取得することを特徴とする請求項１に記載の商品情報管理システム。
【請求項３】
前記クライアントから前記サーバへ画像ファイルを転送し、前記サーバへ保存する際に、
前記クライアントは、画像ファイルをデータフォークとリソースフォークに分割して、登録用の画像ファイルを生成し、
さらに、前記サーバは、前記クライアントから転送された前記登録用の画像ファイルから縮小画像ファイルを生成することを特徴とする請求項１または請求項２に記載の商品情報管理システム。
【発明の詳細な説明】
【０００１】
【発明の属する技術分野】
本発明は、広告媒体に掲載する商品情報を管理し、広告媒体の作成を支援する商品情報管理システムに関する。
【０００２】
【従来の技術】
広告業界における販売管理システムでは、商品の情報というものは、リレーショナルデータベースを用いて単品管理されており、商品毎に各種情報がまとめられている。また、フォルダを用いて商品毎に各種情報を管理するものもある（例えば、特許文献１参照）。そのため、相互に関連のある商品、色違いやサイズ違い等の商品であっても、別々の情報として管理されている。
【０００３】
【特許文献１】
特開２００２−２４０６３号公報
【０００４】
【発明が解決しようとする課題】
例えば、同じ商品であっても、広告媒体の違いによってキャッチコピーが異なったり、広告に載せる画像が異なったりする場合は、別の商品情報として扱わなければならず、商品情報を管理する上で非常に効率が悪かった。
【０００５】
また、一般的に広告媒体に掲載される情報は、商品単品で掲載されることは無く、特定の商品に対して関連のある情報があわせて掲載されることが多いが、特定の商品に対して、関連のある商品を取りまとめて管理するようなこともできなかった。
【０００６】
そのため、広告業界においては、広告媒体に掲載される情報は、その広告媒体に掲載される状態、適宜必要に応じて関連付けて管理されることが望まれていた。
【０００７】
本発明は上記事情を鑑み、広告媒体に掲載する諸情報を自由に関連付けることができるデータベース構造をもった商品情報管理システムを提供することを目的とする。
【０００８】
【課題を解決するための手段】
上記目的を達成するために、請求項１に記載の発明である商品情報管理システムは、広告媒体のＤＴＰ情報を編集可能なクライアントと、ＤＴＰ情報を作成するための各種情報を保存、管理し、前記クライアントからの要求に応じて各種情報を取得し提供するサーバと、前記クライアントと前記サーバを接続するネットワークとから構成される商品情報管理システムであって、前記サーバは、個々の商品の商品情報が記録される基幹商品データベースと、関連性のある複数商品からなる商品群や、同一種の複数商品からなる商品群をグループとして取り扱う場合の、当該グループの識別情報が記録される商品グループデータベースと、前記商品グループデータベースで管理される前記グループと、前記基幹商品データベースで管理される個々の商品の情報との関連が記録される商品関連データベースと、個々の商品に対応する１以上の商品画像の画像ファイル名および保存場所が記録される商品画像データベースと、前記クライアントからの要求に応じて、特定商品の商品情報を前記基幹商品データベースから取得し、さらに前記商品グループデータベースと前記商品関連データベースを参照し、当該特定商品に関連のある商品を取得する商品情報取得手段と、前記商品画像データベースに記録されている保存場所を元に、当該特定商品に対応する前記画像ファイルを取得する画像ファイル取得手段とを備えることを特徴とする。
【０００９】
本発明においては、ＤＴＰ情報とは、広告媒体に用いられる商品の文字情報や画像情報のレイアウトやそれらの装飾が記録された電子ファイルのことを指す。
【００１０】
請求項１の発明によれば、特定商品の情報と複数の画像ファイルが関連付けられ、また、商品群をグループとして登録することが可能なので、商品情報を管理する上で非常に効率が良くなる。
【００１１】
また、請求項２に記載の発明である商品情報管理システムは、請求項１に記載の商品情報管理システムであって、前記商品情報管理システムは、前記広告媒体に関する情報と、前記広告媒体に掲載される前記商品情報が記録される媒体情報データベースを備え、前記商品情報取得手段は、前記クライアントからの要求に応じて、前記広告媒体に掲載される当該特定商品の商品情報を媒体情報データベースから取得することを特徴とする。
【００１２】
また、請求項３に記載の発明である商品情報管理システムは、請求項１または請求項２に記載の商品情報管理システムであって、前記クライアントから前記サーバへ画像ファイルを転送し、前記サーバへ保存する際に、前記クライアントは、画像ファイルをデータフォークとリソースフォークに分割して、登録用の画像ファイルを生成し、さらに、前記サーバは、前記クライアントから転送された前記登録用の画像ファイルから縮小画像ファイルを生成することを特徴とする。
【００１３】
【発明の実施の形態】
本発明の実施形態を、図１〜図３９に基づいて説明する。
【００１４】
まず、本実施形態におけるシステムの構成を図１に示す。本実施形態におけるシステムは、Ｗｅｂサーバ１、アプリケーションサーバ２、データベースサーバ３、およびクライアント７ａ，ｂ，ｃ…から構成され、Ｗｅｂサーバ１にはアプリケーションサーバ２とデータベースサーバ３とシステム管理者用のクライアント７ｅが接続されており、さらにインターネット等のネットワーク８を介して、クライアント７が複数接続される。
【００１５】
Ｗｅｂサーバ１は、所定のプロトコルを用いて、クライアント７と各種情報の送受信を行う機能を有する。
【００１６】
アプリケーションサーバ２は、情報管理アプリケーションを備える。この情報管理アプリケーションは、クライアント７とデータベースサーバ３間における商品情報の入出力管理を行う機能を有し、その他に、商品画像からプレビュー画像等を作成するとともに、画像ファイルを商品画像データベース５に登録する画像登録機能、基本データを基本データデータベース６に登録する基本データ登録機能、基本データを基本データデータベース６から抽出する基本データ取得機能を有する。なお、本発明において「基本データ」とは、商品の情報（文字情報、画像情報を含む）と基本的なレイアウトを記録したＤＴＰ情報、または、そのＤＴＰ情報ファイルを指す。
【００１７】
データベースサーバ３は、アプリケーションサーバ２、またはＷｅｂサーバ１からの要求に従って、各種データテーブルを検索し、情報の照合、または抽出を行う機能を有するデータベースエンジンを備え、商品情報データベース４、画像データベース５、基本データデータベース６、媒体情報データベース９を備える。
【００１８】
商品情報データベース４は、ユーザ情報データテーブル、商品グループデータテーブル、商品関連データテーブル、基幹商品データテーブル、商品画像データテーブル、原稿入力内容データテーブル、基本データテーブルを有する。
【００１９】
ユーザ情報データテーブルは、図２に示すように、ユーザＩＤ、パスワード、表示名称、権限、メールアドレス、作成日の項目を有するデータテーブルであり、本システムにログインする際に必要とされるユーザを識別する個々の情報が記録される。
【００２０】
商品グループデータテーブルは、図３に示すように、商品グループＩＤ、親仕入先ＣＤ、親商品ＣＤ、メーカー名、商品名の項目を有するデータテーブルであり、関連性のある商品群や同一種の商品群をグループとして取り扱う場合の、そのグループの諸情報が記録される。
【００２１】
商品関連データテーブルは、図４に示すように、基幹商品ＩＤ、商品グループＩＤの項目を有するデータテーブルであり、前述の商品グループデータテーブルで管理される商品グループと、後述する基幹商品データテーブルで管理される個々の商品情報を関連付けるものである。
【００２２】
基幹商品データテーブルは、図５に示すように、基幹商品ＩＤ、仕入先ＣＤ、商品ＣＤ、基幹商品名、色、サイズ、価格の項目を有するデータテーブルであり、個々の商品の情報が記録される。
【００２３】
商品画像データテーブルは、図６に示すように、商品画像ＩＤ、基幹商品ＩＤ、仕入先ＣＤ、商品ＣＤ、データフォークファイル名（以下、ＤＦファイル名）、リソースフォークファイル名（以下、ＲＦファイル名）、サムネイル画像ファイル名、詳細プレビュー画像ファイル名、送信ファイル名、タイトルの項目を有するデータテーブルであり、パス名を含む個々の商品画像のファイル名が記録される。また、１つの商品に対して複数の画像ファイルを登録することができる。図７は、１つの商品コードに対して登録されている画像ファイルを一覧表示した画面例である。
【００２４】
原稿入力内容データテーブルは、図８に示すように、原稿入力内容ＩＤ、商品ＣＤ、仕入先ＣＤ、ユーザＩＤ、キャッチコピー、特徴コピー、デメリット注意文、その他テキスト、取扱注意文、基本データファイル名、作成・更新日、商品グループＩＤの項目を有するデータテーブルである。
【００２５】
基本データテーブルは、図９に示すように、基本データＩＤ、商品グループＩＤ、基本データファイル名、基本データＤＦファイル名、基本データＲＦファイル名、送信ファイル名、作成者、作成日の項目を有するデータテーブルであり、クライアント７から送信された基本データに関する情報が登録される。
【００２６】
画像データベース５は、クライアント７から送信されるプレビュー画像、詳細プレビュー画像、データフォーク、リソースフォーク等、各種画像ファイルを格納するデータベースである。また、基本データデータベース６は、クライアント７から送信される基本データファイルを格納するデータベースである。
【００２７】
また、媒体情報データベース９は、媒体データテーブル、媒体ページデータテーブル、媒体使用商品管理データテーブルを有する。
【００２８】
媒体データテーブルは、図１０に示すように、媒体ＩＤ、作成者、企画名、企画回・号、西暦（発刊年）、開始ページ番号、終了ページ番号、登録日、仮登録日、下版日、進行状況の項目を有するデータテーブルであり、広告媒体等における作業の進行状況や、商品が掲載されるページ等に関する情報が記録される。企画名、企画回・号の項目には、その広告媒体が用いられる地域や店舗の情報を記載しても良い。
【００２９】
媒体ページデータテーブルは、図１１に示すように、媒体ページＩＤ、媒体ＩＤ、ユーザＩＤ、ページ番号、最終ドキュメントファイル（パス名を含む）、下版日、進行状況、作成日の項目を有するデータテーブルであり、広告媒体等の特定ページ内における作業の進行状況や、掲載される文書等に関する情報が記録される。
【００３０】
媒体使用商品管理データテーブルは、図１２に示すように、媒体使用商品管理テーブルＩＤ、媒体ページＩＤ、商品グループＩＤ、価格、基本データＩＤの項目を有するデータテーブルであり、広告媒体等の特定ページ内に掲載する商品の情報が記録される。
【００３１】
また、クライアント７はＷｅｂブラウザを備え、さらに、専用アプリケーションとして、画像登録アプリケーション、基本データ取得アプリケーション、基本データ登録アプリケーションを備える。
【００３２】
画像登録アプリケーションは、クライアント７上の画像ファイルから、プレビュー画像の作成、リソースの分割を行う機能を有し、さらに、クライアント７からデータベースサーバ３へ画像ファイルを転送する機能を有する。
【００３３】
また、基本データ登録アプリケーションは、収集アプリケーションで取得したテキストファイルと画像ファイルを基に作成された基本データを基本データデータベース６に登録する機能を有する。
【００３４】
また、基本データ取得アプリケーションは、既に作成され基本データデータベース６に登録されている基本データを取得し、クライアント７へ転送する機能を有する。
【００３５】
本システムにおける処理手順の概要について、図１３を用いて説明する。
【００３６】
まず、商品企画段階においては、「商品情報登録処理」、「画像登録処理」の各処理が行われる。これら２つの処理は順不同、または同時に行うことが可能であり、処理が行われる度に、各種情報が各データベースに関連付けられて登録される。
【００３７】
次に、ＤＴＰ制作段階においては、作成されたＤＴＰ情報を登録する「基本データ登録処理」と、各データベースに登録された情報を収集する「商品情報収集処理」と、ＤＴＰ情報を制作する段階で、過去に制作された基本データを取得する「基本データ取得処理」が行なわれる。
【００３８】
以下、それぞれの処理について説明する。
【００３９】
＜商品情報登録処理（文字情報登録処理）＞
商品情報登録処理について、図１４、図１９のフローチャート、および図１５〜図２２の画面表示例を用いて説明する。
【００４０】
≪ログイン処理≫
まず、ログイン処理について、図１４のフローチャート、および図１５〜図１８の画面表示例を用いて説明する。
【００４１】
クライアント７から所定のＵＲＬをもってＷｅｂサーバ１をアクセスすると、図１５に示すログイン画面がクライアント７に表示される。
【００４２】
ユーザが、ユーザＩＤとパスワード、権限を入力し、ログインボタンを選択すると（ステップＳ０１）、ユーザＩＤ、パスワード、および権限がＷｅｂサーバ１に送信される。なお、本実施形態では、権限は「バイヤー」「制作者」「管理者」の３つが予め用意されている。
【００４３】
Ｗｅｂサーバ１は受信したユーザＩＤ、パスワード、および権限をデータベースサーバ３に引き渡す（ステップＳ０２）。
【００４４】
データベースサーバ３は、受信したユーザＩＤ、パスワード、および権限と、データベースに格納されているユーザ情報とを照合する（ステップＳ０３）。照合の結果、ログインしようとするユーザが登録されていれば、データベースサーバ３は、ユーザ情報の表示名称の項目に登録されているユーザ名をＷｅｂサーバ１に送信し（ステップＳ０４）、さらにログインを許可する旨をＷｅｂサーバ１に送信する（ステップＳ０５）。
【００４５】
Ｗｅｂサーバ１は、ユーザの権限に応じて、図１６〜図１８に示すメニュー画面の情報をクライアント７へ送信する（ステップＳ０６）。図１６は、権限が「管理者」であるユーザに対して表示されるメニュー画面の例である。また、図１７は、権限が「制作者」であるユーザに対して表示されるメニュー画面の例である。また、図１８は、権限が「バイヤー」であるユーザに対して表示されるメニュー画面の例である。権限に応じて、利用可能な機能に制限が設けられる。
【００４６】
ステップＳ０３で照合の結果、ログインしようとするユーザが登録されていなければ、データベースサーバ３は、未登録ユーザであることをＷｅｂサーバ１に送信し（ステップＳ０７）、Ｗｅｂサーバ１は、ログインできない旨のメッセージをクライアント７へ送信する（ステップＳ０８）。
【００４７】
≪商品情報登録処理≫
次に、商品情報登録処理について、図１９のフローチャートと、図２０〜図２２の画面表示例を用いて説明する。
【００４８】
ログインできたユーザには、権限に応じて図１６〜図１８に示すようなメニュー画面が表示され、ユーザが、そのメニューの中から新規商品検索を選択すると、図２０に示すような画面が、クライアント７に表示される。
【００４９】
表示された画面上で、ユーザが、仕入先コードや商品コード等、検索の条件を入力し、商品検索を選択すると（ステップＳ１１）、データベースサーバ３は、商品情報データベース４と画像デーベースを参照し（ステップＳ１２）、入力された商品コードに該当するデータがあるか判定する（ステップＳ１３）。入力された商品コードに該当するデータがあれば、クライアント７へそのデータを送信し、クライアント７の画面には商品コードに該当する商品情報が表示される（ステップＳ１４）。図２１は検索結果が表示された場合の画面例である。入力された商品コードに該当するデータが無ければ、該当するデータが無い旨のメッセージをクライアント７へ送信する（ステップＳ１５）。
【００５０】
キャッチコピー、取扱注意文等、ユーザが所望の情報を入力し（ステップＳ１６）、入力後、ユーザが「登録」を選択すると、入力された各情報が項目毎に各データベースへ登録される（ステップＳ１７）。図２２は、キャッチコピー等、所望の情報が入力された時の画面例であり、図２３は、商品の画像を選択する際の選択画面の例である。
【００５１】
＜画像登録処理＞
次に、画像登録処理について、図２４〜図２５の画面表示例、および図２６〜図２７のフローチャートを用いて説明する。商品画像を商品画像データベース５に登録する処理は、専用の画像登録アプリケーションを用いて行われる。
【００５２】
≪クライアント７側画像登録処理≫
ユーザがクライアント７側アプリケーションである画像登録アプリケーションを起動すると、まず、図２４に示すログインウィンドウが表示される。このログインウィンドウにＩＤとパスワードを入力し、ＯＫボタンを選択すると、ＩＤとパスワードの照合が行われる。照合の結果、ログインが成功すると、図２５に示す画像登録用ウィンドウが表示される。
【００５３】
ユーザが、この画像登録用ウィンドウのフォルダ選択ボタンを選択すると、フォルダの一覧が表示され、そのフォルダの一覧から元画像ファイルが保存されたフォルダを１つ選択すると（ステップＳ２１）、画像登録アプリケーションは、まず、プレビュー画像作成処理を開始する（ステップＳ２２）。この処理で作成されるプレビュー画像は２種類あり、サムネイル表示用の縮小画像（以下、サムネイル画像）と、サムネイル画像を拡大表示するための詳細画像（以下、詳細プレビュー画像）である。画像登録アプリケーションは、ユーザによって指定されたフォルダ内に存在する元画像ファイルを１つずつ読み込み、プレビュー画像を作成する。
【００５４】
まず、画像登録アプリケーションは、読み込んだ元画像ファイルから、予め設定された画像サイズとファイル形式でサムネイル画像を作成し、所定のルールに従ってファイル名を付し、サムネイル画像のファイルを出力する（ステップＳ２３）。画像サイズとファイル形式は、ユーザによって適宜変更可能でこととする。
【００５５】
次に、画像登録アプリケーションは、読み込んだ元の画像ファイルから、予め設定された画像サイズとファイル形式で詳細プレビュー画像を作成し、所定のルールに従ってファイル名を付し、詳細プレビュー画像のファイルを出力する（ステップＳ２４）。画像サイズとファイル形式は、ユーザによって適宜変更可能でこととする。
【００５６】
画像登録アプリケーションは、全ての元画像ファイルを変換するまで処理を繰り返し、プレビュー画像作成処理が終了すると、次の処理へ移行する（ステップＳ２５）。
【００５７】
次に、画像登録アプリケーションは、リソース分離処理を開始する（ステップＳ２６）。元画像ファイルは、データフォークとリソースフォークから構成されている場合があり、その場合に限り、リソース分離処理を行う。
【００５８】
まず、画像登録アプリケーションは、元画像ファイルのデータフォークを読み込み、そのデータフォークから実データ部分を抽出し、ファイル出力する（ステップＳ２７）。
【００５９】
次に、画像登録アプリケーションは、元画像ファイルのデータフォークから、Ｆｉｎｄｅｒ情報を抽出し、さらに、元画像ファイルのリソースフォークを読み込み、先に抽出したＦｉｎｄｅｒ情報と合わせて新たにフォーク部分を作成し、ファイル出力する（ステップＳ２８）。
【００６０】
画像登録アプリケーションは、全ての元画像ファイルのデータフォークとリソースフォークを分離するまで処理を繰り返し、分離処理が終了すると、次の処理へ移行する（ステップＳ２９）。
【００６１】
次に、画像登録アプリケーションは、前段階までの処理で出力したプレビュー画像、詳細プレビュー画像、データフォーク、リソースフォークの各ファイルをサーバへ転送する（ステップＳ３０）。
【００６２】
≪サーバ側画像登録処理≫
アプリケーションサーバ２の画像登録機能は、クライアント７が出力したプレビュー画像、詳細プレビュー画像、データフォーク、リソースフォークの各ファイルを受信すると（ステップＳ３１）、ファイル形式の変換処理を開始する。
【００６３】
画像登録機能は、まず受信したデータフォークのファイルを１つずつ読み込み、ファイル形式の変換を行う（ステップＳ３２）。次に、画像登録機能は、データフォークのファイルを読み込むと（ステップＳ３３）、画像サイズはそのままに、所定のファイル形式に変換し（例えば、ＪＰＥＧ形式）、新たな画像ファイルとしてファイル出力する（ステップＳ３４）。
【００６４】
次に、画像登録機能は、全てのデータフォークのファイルを変換するまで処理を繰り返し、変換処理が終了すると、次の処理へ移行する（ステップＳ３５）。次に、画像登録機能は、受信した各ファイルと、新たに出力された画像ファイルをデータベースサーバ３に転送する。データベースサーバ３は、各ファイルを所定のフォルダに保存する（ステップＳ３６）。最後に、画像登録機能は、商品画像データテーブルに保存した各ファイルのファイル名を記録する（ステップＳ３７）。
【００６５】
＜基本データ登録処理、商品情報収集処理＞
次に、基本データ登録処理について、図２８のフローチャート、および図２９〜図３２の画面表示例を用いて説明する。
【００６６】
基本データを新に作成する場合、商品の文字情報や画像ファイルをクライアント７へ転送する商品情報収集処理が行われる。基本データを既に作成している場合は、ステップＳ４６から処理が行なわれる。
【００６７】
図２９は、基本データを登録したい商品を検索した結果が表示された画面例である。ユーザが基本データ取得アプリケーションを起動すると、画面上に図３０に示すウィンドウが開く。図２９に示す基本データの項目から、基本データを取得したい商品の「ＤａｔａＢｏｘ書き出し」のハイパーリンクを図３０のウィンドウにドラッグアンドドロップすると（ステップＳ４１）、データベースサーバ３は、商品情報データベース４に格納されている各データテーブルから、選択された商品情報を抽出し、画像データベース５から選択された商品の画像ファイルを抽出する（ステップＳ４２）。
【００６８】
次に、データベースサーバ３は、各データテーブルから抽出した情報のうち、キャッチコピー等、特定の文字情報はテキストファイルに出力する（ステップＳ４３）。
【００６９】
次に、データベースサーバ３は、作成したテキストファイルと画像ファイルをクライアント７へ転送する（ステップＳ４４）。ステップＳ４１からステップＳ４４までの処理が、商品情報収集処理となる。ユーザは、転送されたテキストファイルと画像ファイルを利用して、ＤＴＰのレイアウトを作成する（ステップＳ４５）。
【００７０】
次に、ユーザが基本データ登録アプリケーションを起動すると、画面上に図３１に示すウィンドウが開く。ウィンドウの「ファイル選択」を選択し、基本データとして登録するＤＴＰファイルを指定し、読み込みボタンを選択すると（ステップＳ４６）、基本データ登録アプリケーションは、選択されたＤＴＰファイルのデータフォークを作成し（ステップＳ４７）、次に、ＤＴＰファイルのリソースフォークを作成する（ステップＳ４８）。次に、基本データ登録アプリケーションは、データフォーク、リソースフォーク、ＤＴＰファイルをサーバ側へ転送する（ステップＳ４９）。
【００７１】
アプリケーションサーバ２の基本データ登録機能は、データフォーク、リソースフォーク、ＤＴＰファイルを受信すると（ステップＳ５０）、各ファイルをデータベースに保存し（ステップＳ５１）、商品マスタデータベースの基本データテーブルにファイル名と作成者等の付随する情報を登録する（ステップＳ５２）。図３２は、基本データがサーバ側へ転送され、登録が完了した際に表示される画面例である。
【００７２】
＜基本データ取得処理＞
次に、基本データ取得処理について、図３３のフローチャート、および図２９〜図３０の画面表示例を用いて説明する。
【００７３】
ユーザが基本データ取得アプリケーションを起動すると、画面上に図３０に示すウィンドウが開く。図２９に示す基本データの項目から、基本データを取得したい商品の「基本データ書き出し」のハイパーリンクを図３０のウィンドウにドラッグアンドドロップすると（ステップＳ６１）、アプリケーションサーバ２の基本データ取得機能は、基本データのファイル名を取得する（ステップＳ６２）。
【００７４】
次に、基本データ取得機能は、基本データデータベース６から、該当する基本データのデータフォークとリソースフォークのファイルを取得し（ステップＳ６３）、クライアント７へ転送する（ステップＳ６４）。
【００７５】
クライアント７では、基本データ取得アプリケーションが受信した各リソースの結合を行い、基本データファイルを生成する（ステップＳ６５）。
【００７６】
＜その他＞
≪商品グループ登録≫
図３４は、商品をグループ登録する際の編集画面の例である。画面中央の「関連商品検索」に商品コードを入力し、検索すると、その下に検索結果が表示される。表示された検索結果から、商品グループに登録したい商品にチェックを入れ、「グループに追加」を選択することで、選択した商品が関連性のあるものとして登録される。
【００７７】
その際、新規の商品グループであれば、商品グループデータテーブルに商品グループが登録され、その商品グループに登録された商品との関連性が、商品関連データテーブルに登録される。図３５は、商品グループに登録されている商品の一覧を表示した画面例である。
【００７８】
≪広告媒体管理≫
図３６は、媒体名登録・編集画面の例である。この画面に表示された項目に従って各種情報を入力し登録ボタンを選択すると、データベースサーバ３は、媒体データテーブルに新たなレコードを登録し、削除ボタンを選択すると、データベースサーバ３は、入力された各種情報に該当するレコードを媒体データテーブルから削除する。
【００７９】
図３７は、広告媒体に登録されている商品を検索する際の商品検索画面の例である。画面下部に企画名等を入力して検索することで、広告媒体に掲載された商品に検索範囲を限定することができる。
【００８０】
図３８は、媒体データテーブルに登録されている広告媒体を一覧表示した際の画面例である。
【００８１】
また、図３９は、媒体ページデータテーブル１つの広告媒体におけるページ毎の作業の進行状況を表示した際の画面例である。画面中央の検索を選択すると、データベースサーバ３は、媒体使用商品管理データテーブルを参照して、登録されている商品の情報を抽出する。
【００８２】
【発明の効果】
以上説明したように、本発明によれば、特定商品の情報と複数の画像ファイルが関連付けられ、また、商品群をグループとして登録することが可能なので、商品情報を管理する上で非常に効率が良くなる。
【図面の簡単な説明】
【図１】本実施形態のシステム構成を示す図である。
【図２】ユーザ情報データテーブルを示す図である。
【図３】商品グループデータテーブルを示す図である。
【図４】商品関連データテーブルを示す図である。
【図５】基幹商品データテーブルを示す図である。
【図６】商品画像データテーブルを示す図である。
【図７】１つの商品コードに対して登録されている画像ファイルを一覧表示した画面例である。
【図８】原稿入力内容データテーブルを示す図である。
【図９】基本データテーブルを示す図である。
【図１０】媒体データテーブルを示す図である。
【図１１】媒体ページデータテーブルを示す図である。
【図１２】媒体使用商品管理データテーブルを示す図である。
【図１３】本システムにおける処理手順の概要を示すシーケンス図である。
【図１４】ログイン処理を示すフローチャートである。
【図１５】ログイン画面の例である。
【図１６】権限が「管理者」であるユーザに対して表示されるメニュー画面の例である。
【図１７】権限が「制作者」であるユーザに対して表示されるメニュー画面の例である。
【図１８】権限が「バイヤー」であるユーザに対して表示されるメニュー画面の例である。
【図１９】商品情報登録処理を示すフローチャートである。
【図２０】新規商品登録画面の例である。
【図２１】商品検索の検索結果が表示された場合の画面例である。
【図２２】キャッチコピー等、所望の情報が入力された時の画面例である。
【図２３】商品の画像を選択する際の選択画面の例である。
【図２４】ログインウィンドウの例である。
【図２５】画像登録用ウィンドウの例である。
【図２６】クライアント側の画像登録処理を示すフローチャートである。
【図２７】サーバ側の画像登録処理を示すフローチャートである。
【図２８】基本データ登録処理を示すフローチャートである。
【図２９】基本データを登録したい商品を検索した結果が表示された画面例である。
【図３０】基本データ取得用ウィンドウの例である。
【図３１】基本データ登録用ウィンドウの例である。
【図３２】基本データがサーバ側へ転送され、登録が完了した際に表示される画面例である。
【図３３】基本データ取得処理を示すフローチャートである。
【図３４】商品をグループ登録する際の編集画面の例である。
【図３５】商品グループに登録されている商品の一覧を表示した画面例である。
【図３６】媒体名登録・編集画面の例である。
【図３７】広告媒体に登録されている商品を検索する際の商品検索画面の例である。
【図３８】媒体データテーブルに登録されている広告媒体を一覧表示した際の画面例である。
【図３９】１つの広告媒体におけるページ毎の作業の進行状況を表示した際の画面例である。
【符号の説明】
１  Ｗｅｂサーバ
２  アプリケーションサーバ
３  データベースサーバ
４  商品情報データベース
５  画像データベース
６  基本データデータベース
７  クライアント
８  ネットワーク（インターネット／ＷＡＮ、ＬＡＮ）
９  媒体情報データベース
【図１】
2004171208.tif 000003
【図２】
2004171208.tif 000004
【図３】
2004171208.tif 000005
【図４】
2004171208.tif 000006
【図５】
2004171208.tif 000007
【図６】
2004171208.tif 000008
【図７】
2004171208.tif 000009
【図８】
2004171208.tif 000010
【図９】
2004171208.tif 000011
【図１０】
2004171208.tif 000012
【図１１】
2004171208.tif 000013
【図１２】
2004171208.tif 000014
【図１３】
2004171208.tif 000015
【図１４】
2004171208.tif 000016
【図１５】
2004171208.tif 000017
【図１６】
2004171208.tif 000018
【図１７】
2004171208.tif 000019
【図１８】
2004171208.tif 000020
【図１９】
2004171208.tif 000021
【図２０】
2004171208.tif 000022
【図２１】
2004171208.tif 000023
【図２２】
2004171208.tif 000024
【図２３】
2004171208.tif 000025
【図２４】
2004171208.tif 000026
【図２５】
2004171208.tif 000027
【図２６】
2004171208.tif 000028
【図２７】
2004171208.tif 000029
【図２８】
2004171208.tif 000030
【図２９】
2004171208.tif 000031
【図３０】
2004171208.tif 000032
【図３１】
2004171208.tif 000033
【図３２】
2004171208.tif 000034
【図３３】
2004171208.tif 000035
【図３４】
2004171208.tif 000036
【図３５】
2004171208.tif 000037
【図３６】
2004171208.tif 000038
【図３７】
2004171208.tif 000039
【図３８】
2004171208.tif 000040
【図３９】
2004171208.tif 000041